(57)【要約】      （修正有）【課題】遺骨を納めた骨壷を直接収納するための収納袋について、高級感、重圧感を持たせたものにすると共に、熱い遺骨を納めた直後であっても容易に持ち運びができるようにする。【解決手段】収納袋２は、骨壷１の外形に合わせた底部３、筒状部４、該筒状部４から上方に延長する延長部５とを備えて形成されたものであり、しかも金襴地７ａと人口レザー地７ｂで形成された厚手の外布７と、薄手繊維からなる内布６と、底部３および筒状部４の内外布３、４間に挟まれるようにして設けられる断熱性のある中布８とを重ね合わせてキルティング加工されたものであり、延長部５には、該延長部５を緊縛して閉じるための巾着紐９を挿通するための紐挿通部５ｂが形成されていて、骨壷１を巾着状に収納できるようにする。【選択図】図３
0003140602.tif 000002
【実用新案登録請求の範囲】
【請求項１】
遺骨を納めた骨壷を収納するための収納袋であって、該収納袋は、骨壷の外形に合わせて有底筒状になった底部および筒状部と、該筒状部から上方に延長する延長部とを備えて形成され、金襴地または錦金襴地を単独で、またはこれら金襴地と人口レザー地、金彩加工地、プリント地のなかから少なくとも一つを選択して形成された厚手の外布と、薄手繊維からなる内布と、少なくとも底部および筒状部の内外布間に挟まれるようにして設けられる断熱性のある中布とを重ね合わせてキルティング加工されたものであり、延長部には、該延長部を緊縛して閉じるための巾着紐を挿通するための紐挿通部が形成されていて、骨壷を巾着状に収納できるように構成されていることを特徴とする骨壷収納袋。
【考案の詳細な説明】
【技術分野】
【０００１】
本考案は、遺骨を収めた骨壷を収納するための遺骨収納袋の技術分野に属するものである。
【背景技術】
【０００２】
一般に、遺骨は骨壷に収められ、この状態で墓に納骨されることが多いが、骨壷は、仏壇に安置するときや移動するときなどにおいては、骨壷を白木の木箱に収めた状態にすることが多い。このとき、木箱が単に白木のままでは粗末感があって故人に対して礼に欠け、そこで木箱をさらに骨覆いで覆うことで高級感をかもし出すようにしていた（例えば特許文献１〜３参照）。
【特許文献１】特開昭６１−２３４８５６号公報
【特許文献２】実開昭６４−５４３３号公報
【特許文献３】実開平１−１０１５２４号公報
【考案の開示】
【考案が解決しようとする課題】
【０００３】
ところが前記従来のものは、骨壷を収納するための木箱と、該木箱を収納するための骨覆いとが必要であって、必要とする製品数が多くなるだけでなく、コスト的にも高価になりがちであった。これに対し、木箱の表面に装飾布を直接貼り付けたものも提唱されているが、見た目のボリューム感や高級感に乏しく、故人に対して礼を欠く思いが生じるという問題がある。そこで骨壷を直接収容袋に収めるようにすることが提唱されるが、骨壷は、高温で処理された遺骨を納める関係上、遺骨を納めた当初は高温になり、骨壷を収納袋に直接収納した場合、該収納袋が熱くなって持てなくなり、収納直後の移動に支障を来たすという問題があり、ここに本考案の解決すべき課題がある。
【課題を解決するための手段】
【０００４】
本考案は、上記の如き実情に鑑みこれらの課題を解決することを目的として創作されたものであって、請求項１の考案は、遺骨を納めた骨壷を収納するための収納袋であって、該収納袋は、骨壷の外形に合わせて有底筒状になった底部および筒状部と、該筒状部から上方に延長する延長部とを備えて形成され、金襴地または錦金襴地を単独で、またはこれら金襴地と人口レザー地、金彩加工地、プリント地のなかから少なくとも一つを選択して形成された厚手の外布と、薄手繊維からなる内布と、少なくとも底部および筒状部の内外布間に挟まれるようにして設けられる断熱性のある中布とを重ね合わせてキルティング加工されたものであり、延長部には、該延長部を緊縛して閉じるための巾着紐を挿通するための紐挿通部が形成されていて、骨壷を巾着状に収納できるように構成されていることを特徴とする骨壷収納袋である。
【考案の効果】
【０００５】
請求項１の考案とすることにより、骨壷収納袋は、木箱を不要とするものでありながら厚手の外布を用いているため型崩れすることがなく、しかも外布は金襴地または錦金襴地が用いられているため高級感と重量感とが備わったものになって故人に対して礼を欠くことがなく偲ぶものになる。そのうえ骨壷が直接当たる袋部位には断熱性がある中布が設けられているため、遺骨を入れた直後の骨壷を収納したとしたも、遺骨の熱が外布まで伝わって熱くなり、持てなくなってしまうようなことを回避でき、迅速な移動が可能になる。
【考案を実施するための最良の形態】
【０００６】
次ぎに、本考案の実施の形態について、図面を用いて説明する。図面において、１は骨壷であって、該骨壷１は有底円筒状の本体１ａと、該本体１ａの上端開口を覆蓋するための蓋体１ｂとにより構成されている。
【０００７】
２は骨壷１を収納するための第一の実施の形態の収納袋であって、該収納袋２は、前記骨壷１の外形寸法に合わせた底部３、筒状をした筒状部４を用いて構成されているが、丈については骨壷１の高さよりも長く延した延長部５を有している。収納袋２は内布６、外布７、そして中布８を用いて構成されるが、延長部５には中布８を有しない（省略された）もので構成されている。
【０００８】
この場合において、本実施の形態のものは外布７は厚手の布であって装飾模様が施された金襴地７ａと厚手の人口レザー地７ｂとを用いて形成されているが、本第一の実施の形態では、外布７は、底部３全体と筒状部４の下半部とが人口レザー地７ｂであり、そして筒状部４の上半部と延長部５全体が金襴地７ａによって形成されている。
また内布６は木綿や化繊等の繊維から成る薄手の布であって、底部３、筒状部４、延長部５の全体に設けられている。
さらに中布８は、本実施の形態では骨壷１が直接接触する底部３と筒状部４とに設けられ、延長部５には設けていないものであるが、断熱性がある厚手の綿布を採用している。そして中布８がある部位においては、該中布８は内布６と外布７とのあいだに挟まれる状態で重ねあわされ、キルティング加工して収納袋２が形成されている。
【０００９】
また延長部５は、拡開して骨壷１の出し入れが容易になるよう対向する二箇所に上下方向を向く切り込み５ａが形成されると共に、上下方向中間部には巾着紐９を挿通するため切り込み５ａに開口５ｃを有した紐挿通部５ｂが周回り方向に縫製されている。そして紐挿通部５ｂに挿通した一対の巾着紐９を引っ張ることで延長部５が緊縛され、これによって骨壷１を収納した収納袋２は巾着状になっている。
【００１０】
叙述のごとく構成された本考案の実施の形態において、骨壷１を収容するための収納袋２は、従来のように骨壷を収容するための木箱を不要とするものでありながら、厚手の外布を用いて形成しているため型崩れすることがなく、しかも外布は彩色模様の金襴地または錦金襴地が用いられているため高級感と重量感とが備わったものになって故人に対して礼を欠くことがなく偲ぶものになる。
【００１１】
そのうえ骨壷１が直接当たる底部３および筒状部４には断熱性がある中布８が内布６と外布７とのあいだに挟まれた状態で設けられているため、遺骨を入れた直後の骨壷１を収納袋２に収納したとしても、遺骨の熱が外布７まで伝わって熱くなり、持てなくなってしまうようなことを回避でき、速やかな持ち運びができることになる。
【００１２】
尚、本考案は前記実施の形態のものに限定されるものでないことは勿論であって、収納袋は、例えば図４に示すように、外布７全体を金襴地または錦金襴地を単独で採用したものとしても実施することができ、さらには延長部５については、切り込みのないものとしても実施することができる。
【図面の簡単な説明】
【００１３】
【図１】骨壷を収納して延長部を緊縛した状態を示す収納袋の斜視図である。
【図２】骨壷を収納して延長部を緊縛する前の状態を示す収納袋の斜視図である。
【図３】収納袋の断面図である。
【図４】第二の実施の形態を示す延長部を緊縛する前の状態の収納袋の斜視図である。
【符号の説明】
【００１４】
１    骨壷
２    収納袋
３    底部
４    筒状部
５    延長部
６    内布
７    外布
８    中布
９    巾着紐
【図１】
0003140602.tif 000003
【図２】
0003140602.tif 000004
【図３】
0003140602.tif 000005
【図４】
0003140602.tif 000006
【手続補正書】
【提出日】平成20年1月22日(2008.1.22)
【手続補正１】
【補正対象書類名】実用新案登録請求の範囲
【補正対象項目名】全文
【補正方法】変更
【補正の内容】
【実用新案登録請求の範囲】
【請求項１】
遺骨を納めた骨壷を収納するための収納袋であって、該収納袋は、骨壷の外形に合わせて有底筒状になった底部および筒状部と、該筒状部から上方に延長する延長部とを備えて形成され、金襴地または錦金襴地を単独で、またはこれら金襴地と人口レザー地、金彩加工地、プリント地のなかから少なくとも一つを選択して形成された厚手の外布と、薄手繊維からなる内布と、少なくとも底部および筒状部の内外布間に挟まれるようにして設けられる断熱性のある中布とを重ね合わせてキルティング加工されたものであり、延長部には、該延長部を緊縛して閉じるための巾着紐を挿通するための紐挿通部が形成されていて、骨壷を巾着状に収納できるように構成されていることを特徴とする錦織骨壷収納袋。
【手続補正３】
【補正対象書類名】明細書
【補正対象項目名】０００１
【補正方法】変更
【補正の内容】
【０００１】
本考案は、遺骨を収めた骨壷を収納するための錦織骨壷収納袋の技術分野に属するものである。
【手続補正４】
【補正対象書類名】明細書
【補正対象項目名】０００４
【補正方法】変更
【補正の内容】
【０００４】
本考案は、上記の如き実情に鑑みこれらの課題を解決することを目的として創作されたものであって、請求項１の考案は、遺骨を納めた骨壷を収納するための収納袋であって、該収納袋は、骨壷の外形に合わせて有底筒状になった底部および筒状部と、該筒状部から上方に延長する延長部とを備えて形成され、金襴地または錦金襴地を単独で、またはこれら金襴地と人口レザー地、金彩加工地、プリント地のなかから少なくとも一つを選択して形成された厚手の外布と、薄手繊維からなる内布と、少なくとも底部および筒状部の内外布間に挟まれるようにして設けられる断熱性のある中布とを重ね合わせてキルティング加工されたものであり、延長部には、該延長部を緊縛して閉じるための巾着紐を挿通するための紐挿通部が形成されていて、骨壷を巾着状に収納できるように構成されていることを特徴とする錦織骨壷収納袋である。
【手続補正５】
【補正対象書類名】明細書
【補正対象項目名】０００５
【補正方法】変更
【補正の内容】
【０００５】
請求項１の考案とすることにより、骨壷収納袋は、木箱を不要とするものでありながら厚手の外布を用いているため型崩れすることがなく、しかも外布は金襴地または錦金襴地が用いられていて錦織模様になっているため高級感と重量感とが備わったものになって故人に対して礼を欠くことがなく偲ぶものになる。そのうえ骨壷が直接当たる袋部位には断熱性がある中布が設けられているため、遺骨を入れた直後の骨壷を収納したとしたも、遺骨の熱が外布まで伝わって熱くなり、持てなくなってしまうようなことを回避でき、迅速な移動が可能になる。
【手続補正６】
【補正対象書類名】明細書
【補正対象項目名】０００８
【補正方法】変更
【補正の内容】
【０００８】
この場合において、本実施の形態のものは外布７は厚手の布であって装飾模様が施された金襴地７ａと厚手の人口レザー地７ｂとを用いて形成されているが、本第一の実施の形態では、外布７は、底部３全体と筒状部４の下半部とが人口レザー地７ｂであり、そして筒状部４の上半部と延長部５全体が金襴地７ａによって形成されていて錦織模様になっている。
また内布６は木綿や化繊等の繊維から成る薄手の布であって、底部３、筒状部４、延長部５の全体に設けられている。
さらに中布８は、本実施の形態では骨壷１が直接接触する底部３と筒状部４とに設けられ、延長部５には設けていないものであるが、断熱性がある厚手の綿布を採用している。そして中布８がある部位においては、該中布８は内布６と外布７とのあいだに挟まれる状態で重ねあわされ、キルティング加工して収納袋２が形成されている。